(57)【要約】【課題】ウィジェット型待機画面コンテンツを活用して、移動通信端末の待機画面を利用したより様々な情報の提供および審美感の向上などの機能を提供することが可能な移動通信端末用ウィジェット型待機画面コンテンツデータの提供システムを提供する。【解決手段】移動通信端末用ウィジェット型待機画面コンテンツデータを生成するデータ生成部と、生成されたウィジェット型待機画面コンテンツデータを格納、管理するコンテンツデータベースと、コンテンツデータベースに格納、管理されるコンテンツデータに対する取捨選択を通じてコンテンツデータをダウンロードして格納または駆動する移動通信端末とを含み、移動通信端末は、ファームウェアレベルとＯＥＭレベルと待機画面プラットホームとポーティングレイヤーとベースレイヤーとアプリケーションレイヤーとを備える移動通信端末用ウィジェット型待機画面コンテンツデータの提供システムが提供される。【選択図】図１
2008295015.tif 000002
【特許請求の範囲】
【請求項１】
移動通信端末用ウィジェット型待機画面コンテンツデータを生成するデータ生成部と；
前記データ生成部により生成されたウィジェット型待機画面コンテンツデータを格納、管理するコンテンツデータベースと；
前記コンテンツデータベースに格納、管理されるコンテンツデータに対する取捨選択を通じて、前記コンテンツデータベースから転送されたコンテンツデータをダウンロードして格納または駆動する移動通信端末と；
を含み、
前記移動通信端末は、ファームウェアレベルと、ＯＥＭレベルと、待機画面プラットホームと、ポーティングレイヤーと、ベースレイヤーと、アプリケーションレイヤーとを備えることを特徴とする、移動通信端末用ウィジェット型待機画面コンテンツデータの提供システム。
【請求項２】
前記移動通信端末にダウンロードされたウィジェット型待機画面コンテンツデータに対する駆動または管理は、前記待機画面プラットホームのレベルで行われることを特徴とする、請求項１に記載の移動通信端末用ウィジェット型待機画面コンテンツデータの提供システム。
【請求項３】
前記移動通信端末の前記ウィジェット型待機画面コンテンツデータに対するダウンロード情報に対応するように、課金情報を生成する費用精算部をさらに含むことを特徴とする、請求項１または２に記載の移動通信端末用ウィジェット型待機画面コンテンツデータの提供システム。
【請求項４】
前記費用精算部は、前記移動通信端末のウィジェット型待機画面コンテンツデータに対するダウンロード情報に対応するように、前記データ生成部に対する支払費用情報を生成することを特徴とする、請求項３に記載の移動通信端末用ウィジェット型待機画面コンテンツデータの提供システム。
【請求項５】
前記コンテンツデータベースと前記移動通信端末との間のデータの転送は、ＸＭＬデータ転送方式によりなされることを特徴とする、請求項３に記載の移動通信端末用ウィジェット型待機画面コンテンツデータの提供システム。
【発明の詳細な説明】
【技術分野】
【０００１】
本発明は、移動通信端末用ウィジェット型待機画面コンテンツデータの提供システムに関し、より詳細には、ウィジェット型待機画面コンテンツを活用して、移動通信端末の待機画面を利用したより様々な情報の提供および審美感の向上などの機能を提供できるようにするための、移動通信端末用ウィジェット型待機画面コンテンツデータの提供システムに関する。
【背景技術】
【０００２】
急速な情報通信社会への発展により、インターネットおよび移動通信が、現代を生きている人にとって不可欠な必需品のような機能を有してからもう久しい。
【０００３】
特に、移動通信技術は、情報通信技術分野において先端技術の集約的な形態に急浮上して、様々な技術産業の分化およびこれによる莫大な規模の付加価値を創出している。
【０００４】
このような趨勢に歩調を合わせて、大多数の国民が携帯電話のような少なくとも一つ以上の個人用モバイル（mobile）端末を所持するようになっており、これにより、移動通信用端末自体の市場および端末関連の付加サービス市場の規模も急速に膨脹していることが現実である。代表的な移動通信端末関連の付加サービスには、ベル音、通話待機音、または、待機画面用グラフィックコンテンツなどが挙げられる。
【０００５】
ところが、この中で、待機画面用グラフィックコンテンツの場合、コンテンツ提供業者から提供されたデータに対する移動、編集、または、再配置などが不可能であるだけでなく、多数コンテンツの同時適用などに困難さがあり、より特色ある待機画面を構成しようとする使用者らの欲求を充足させるのに限界があるというなどの問題点があった。
【０００６】
したがって、様々なコンテンツを、使用者の趣向によって編集、配置が可能なように構成された移動通信端末用待機画面コンテンツデータの提供およびこれの利用に対する新しい方案が要求されている。
【発明の開示】
【発明が解決しようとする課題】
【０００７】
本発明は、上記問題に鑑みてなされたものであり、本発明の目的とするところは、ウィジェット型待機画面コンテンツを活用して、移動通信端末の待機画面を利用したより様々な情報の提供および審美感の向上などの機能を提供することが可能な、新規かつ改良された移動通信端末用ウィジェット型待機画面コンテンツデータの提供システムを提供することにある。
【０００８】
また、本発明の目的は、以上に言及した目的に制限されることなく、言及されていない更に他の目的は、以下の記載から、当業者によって明確に理解されるはずである。
【課題を解決するための手段】
【０００９】
上記目的を達成するために、本発明の第１の観点によれば、移動通信端末用ウィジェット型待機画面コンテンツデータを生成するデータ生成部と、上記データ生成部により生成されたウィジェット型待機画面コンテンツデータを格納、管理するコンテンツデータベースと、上記コンテンツデータベースに格納、管理されるコンテンツデータに対する取捨選択を通じて、上記コンテンツデータベースから転送されたコンテンツデータをダウンロードして格納または駆動する移動通信端末とを含み、上記移動通信端末は、ファームウェア（Ｆ/Ｗ）レベルと、ＯＥＭレベルと、待機画面（ＰＯＰ-ＵＰ）プラットホームと、ポーティングレイヤーと、ベースレイヤーと、アプリケーションレイヤーとを備える移動通信端末用ウィジェット型待機画面コンテンツデータの提供システムが提供される。
【００１０】
また、上記移動通信端末にダウンロードされたウィジェット型待機画面コンテンツデータに対する駆動または管理は、上記待機画面プラットホームのレベルで行われてもよい。
【００１１】
また、上記移動通信端末の上記ウィジェット型待機画面コンテンツデータに対するダウンロード情報に対応するように、課金情報を生成する費用精算部をさらに含んでもよい。
【００１２】
また、上記費用精算部は、上記移動通信端末のウィジェット型待機画面コンテンツデータに対するダウンロード情報に対応するように、上記データ生成部に対する支払費用情報を生成してもよい。
【００１３】
また、上記コンテンツデータベースと上記移動通信端末との間のデータの転送は、ＸＭＬデータ転送方式によりなされてもよい。
【００１４】
その他、本発明の実施形態に係る具体的な事項は、詳細な説明および図面に含まれている。
【発明の効果】
【００１５】
本発明によれば、ウィジェット型待機画面コンテンツを活用して、移動通信端末の待機画面を利用したより様々な情報の提供および審美感の向上などの機能を提供することができる。
【００１６】
より具体的には、上述したような本発明に係る移動通信端末用ウィジェット型待機画面コンテンツデータの提供システムによれば、使用者は、より簡便かつ容易に移動通信端末の待機画面などに適用される様々なコンテンツに対して、追加、削除および位置移動などを通じて、自在に編集または配置できるようになり、自身の趣向および個性に応じた多彩な移動通信端末の設定ができるようになったというなどの様々な効果が提供される。
【００１７】
また、ウィジェット方式を適用した待機画面を提供できるようになるにしたがって、強力なアニメーション効果、イメージの変形または混用、ＧＵＩ（Graphical  User  Interface）の修正のような様々な機能が行えるようになったといったメリットを追加的に提供できるようになる。
【００１８】
併せて、使用者インターフェース(ＵＩ)などのコンテンツ開発に要する開発費用および時間を画期的に節減できるようになるばかりでなく、一つのコンテンツに対する様々な変形などが可能となり、開発されたコンテンツに対する活用性を極大化できるようになったといったメリットも提供することができる。
【発明を実施するための最良の形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
図１は、本発明の一実施形態に係る移動通信端末用ウィジェット型待機画面コンテンツデータの提供システムの概略構成を示す説明図である。
【００２１】
図１に示すように、本発明の実施形態に係る移動通信端末用ウィジェット型待機画面コンテンツデータの提供システムは、データ生成部１１０、コンテンツデータベース１２０、移動通信端末１３０、および費用精算用サーバー１４０などを含んで構成される。
【００２２】
データ生成部１１０は、ＣＰ（Contents  Provider）のような事業者か、あるいは、直接製作したプログラムをアップロードするプログラマーなどの個人により備えられたデータ生成用コンピュータなどにより構成されることができる。
【００２３】
この場合、データ生成部１１０により生成されるデータは、移動通信端末１３０の待機画面に適用可能なウィジェット型待機画面コンテンツなどである。
【００２４】
ここで、ウィジェット（Widget）とは、コンピュータなどのシステム上でオペレーティングシステム（Operating  System；ＯＳ）上の応用プログラムを動作させ、結果を画面に表示する小さなグラフィック使用者インターフェース（ＧＵＩ)ツールを言う。
【００２５】
換言すれば、インターネットから情報を伝達され、画面に表示する小さなウィンドウズ（登録商標）のような概念であり、時計や暦、メモ帳、検索、地図、ニュース、リアルタイムカメラなど、インターネットエクスプローラのようなブラウザーで提供されていた多くの機能が、ブラウザーを開けなくても提供され得るようにする駆動方式を意味する。
【００２６】
このように、データ生成部１１０により生成されたウィジェット型待機画面コンテンツデータは、有線／無線の様々な通信方式を通じて、コンテンツデータベース１２０に転送することができ、この場合、本発明の実施形態に適用される最も望ましいデータ転送方式には、例えば、ＭＩＭＥ（Multipurpose  Internet  Mail  Extension）やＳ/ＭＩＭＥ（ＳＭＴＰ/ＭＩＭＥ）のようなＸＭＬ（Extensible  Markup  Language）データ転送方式がある。
【００２７】
ＭＩＭＥは、２値データ（binary  data）を、ベース６４インコーディング（base64  encoding）技法に基づいてテキストを変形する方式であって、ｚｉｐまたはｒａｒなどの圧縮２値データに対して、ベース６４インコーディング方式を通じたエラー点検が可能であるため、転送データの量を減少させる一方、転送データに対する効率的な管理が可能であるなどのメリットを提供する。
【００２８】
Ｓ/ＭＩＭＥは、ＳＭＴＰ規約に基づいた拡張ＭＩＭＥ方式であって、ＭＩＭＥフォーマットに複数の追加データを添付（attach）形式に加え、共に転送できるようにする方式を意味する。
【００２９】
なお、本発明の実施形態が、必ずしも上記の方式に限定されないことは、当業者にとって自明であるはずである。
【００３０】
コンテンツデータベース１２０は、データ生成部１１０により生成された後に、ＸＭＬデータ転送方式などにより転送されたウィジェット型待機画面コンテンツデータを格納、管理する機能を行う。
【００３１】
すなわち、データ生成部１１０からコンテンツデータの転送がある場合、これに対して、使用者の使い勝手などを考慮した適切な分類規定などによって、カテゴリー別に分類した後、格納および格納データの目録情報などを生成提供する機能を行う。
【００３２】
ここで、コンテンツデータベース１２０は、データ生成部１１０から転送されるコンテンツデータに対する所定の評価および選択機能を行うこともできる。換言すれば、コンテンツデータベース１２０は、データ生成部１１０から転送されるあらゆるコンテンツデータに対して、無条件格納および管理を行うことではなく、内部の基準などに従って、審美性、使用者の使い勝手などの項目に対する評価を行った後、一定のレベル以上の評価結果を持つコンテンツデータに対してのみ上記コンテンツデータベース１２０を通じた格納および管理がなされるようにすることができる。
【００３３】
移動通信端末１３０は、コンテンツデータベース１２０から転送されたコンテンツデータを選択的にダウンロードして、格納または駆動する機能を行うための携帯電話などの個人用端末である。
【００３４】
ここで、本発明の実施形態に係るウィジェット型待機画面コンテンツデータの提供システムに適用される移動通信端末１３０は、ファームウェア（Ｆ/Ｗ）レベル、ＯＥＭレベル、待機画面プラットホーム（platform）、ポティンレイヤー（porting  layer）、ベースレイヤー（base  layer）、および、アプリケーションレイヤー（application  layer）などを備えるように構成することができる。上記の場合、コンテンツデータベース１２０からダウンロードされ、移動通信端末１３０を通じたコンテンツデータの駆動は、上記待機画面プラットホームのレベルで行われるように構成することができる。
【００３５】
以上の内容については、後に別途の図面（図２）を通じて、より詳細に説明する。
【００３６】
サーバー１４０は、コンテンツデータベース１２０の入出力コンテンツデータに対する制御などを行うために、追加的に備えられることができる。
【００３７】
具体的には、サーバー１４０は、コンテンツデータベース１２０から各々の移動通信端末１３０にダウンロードされるコンテンツデータに対する課金などの機能を遂行したり、更には、データ生成部１１０からアップロードされるコンテンツデータに対する費用精算などの機能を担当することができる。
【００３８】
この場合、データ生成部１１０のアップロードコンテンツに対する費用精算方式は、システムの設定などによって多少変えることができる。例えば、各々の使用者の移動通信端末１３０に対するダウンロード内訳と対応するように、精算費用を増減させる方式などが適用されることができる。なお、本発明の実施形態に係る課金または費用精算方式が、上記の方法に限定されるものではなく、通常のいずれの課金または費用精算方式も適切に変容できることは、当業者にとって自明であるはずである。
【００３９】
その他に、サーバー１４０が、使用者情報管理などのような通常のシステム管理業務を遂行するように構成できることは、言うまでもない。
【００４０】
図２は、図１に適用される移動通信端末のソフトウェア構成レイヤー（layer）を細部的に示す説明図である。
【００４１】
図２を参照すると、本発明の実施形態に係る移動通信端末用使用者インターフェース提供システムに適用される移動通信端末のソフトウェア構成は、ファームウェア（Ｆ/Ｗ）レベル２１０、ＯＥＭレベル２２０、待機画面プラットホーム（platform）２３０、ポーティングレイヤー（porting  layer）２４０、ベースレイヤー（base  layer）２５０、および、アプリケーションレイヤー（application  layer）２６０などからなることが分かる。
【００４２】
ファームウェア（Ｆ/Ｗ）レベル２１０は、移動通信端末の製造社などにより構成され、ハードウェア的なチップ（chip）の駆動と関連するアプリケーションプログラミングインターフェースＡＰＩなどを連動させる機能を行う。
【００４３】
ＯＥＭレベル２２０は、移動通信端末のオペレーティングシステム（ＯＳ）に連関され、ウィーピー（wipi）、ＢＲＥＷ（Binary  Runtime  Environment  for  Wireless）、シンビアン（Symbian）、および、ジャバ（java）などの駆動を担当する。
【００４４】
待機画面プラットホーム２３０は、例えばウェブ（web）２.０基盤のモバイル管理プラットホームであり、ＳｙｎｃＭＬ規約に従うようにすることによって、今後、Legacy  systemとの手軽い連動などができるようにする。
【００４５】
ポーティングレイヤー（porting  layer）２４０は、ＧＵＩまたはその他付加サービスのための応用プログラムなどが、該当移動通信端末に適用できる適した形態を持つようにする機能を行う。
【００４６】
ベースレイヤー２５０では、ポーティングレイヤー２４０によりポーティングされたＯＥＭレベルを、ＧＵＩまたはその他付加サービスのための応用プログラムなどが使用できるように、アプリケーションプログラミングインターフェース（ＡＰＩ）を正規化し、変調する等の機能がなされる。
【００４７】
アプリケーションレイヤー２６０は、待機画面プラットホーム２３０のレベルで支援されるウィジェット型待機画面コンテンツデータに対する直接的駆動を通じて、使用者が自身の趣向と個性に応じる待機画面の飾り付け、または、ベル音の管理などの機能を行えるように支援する。
【００４８】
ここで、待機画面プラットホーム２３０内のキャッシュ処理は、音楽ストリーミングなどに適用される通常の方式に類似している方式により行われるようにすることができる。また、移動通信端末の内部のデータ管理およびデータの送受信に、ＸＭＬ基盤の情報が使用できることについては、既述されている。
【００４９】
図３は、本発明の実施形態に係るウィジェット型待機画面コンテンツデータが待機画面に適用された移動通信端末の画面例を示す説明図を示している。
【００５０】
図３に示すように、移動通信端末の待機画面などに適用されるウィジェット型待機画面コンテンツ（例えば、天気情報、時計、ニュース、および音楽プレーヤーなど）は、使用者の趣向および個性などに応じて、追加、削除のような編集や位置移動、または、色の変換などを容易に行えるようになったことが分かる。
【００５１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５２】
【図１】本発明の一実施形態に係る移動通信端末用ウィジェット型待機画面コンテンツデータの提供システムの概略構成を示す説明図である。
【図２】図１に適用される移動通信端末のソフトウェア構成のレイヤーを細部的に示す説明図である。
【図３】本発明の実施形態に係るウィジェット型待機画面コンテンツデータが適用された移動通信端末の画面例を示す説明図である。
【符号の説明】
【００５３】
１１０    データ生成部
１２０    コンテンツデータベース
１３０    移動通信端末
１４０    サーバー
２１０    ファームウェアレベル
２２０    ＯＥＭレベル
２３０    待機画面プラットホーム
２４０    ポーティングレイヤー
２５０    ベースレイヤー
２６０    アプリケーションレイヤー。
【図１】
2008295015.tif 000003
【図２】
2008295015.tif 000004
【図３】
2008295015.tif 000005